(57)【要約】  【課題】吸収コアの変形による、内装体と腹側又は背側外装シートとの接着の剥れや、見栄えや装着感の悪化を防止する。  【解決手段】内装体２０の前端部が腹側外装シート１２Ｆの幅方向中央部内面に連結されるとともに、後端部が背側外装シート１２Ｂの幅方向中央部内面に連結され、腹側外装シート１２Ｆと背側外装シート１２Ｂとが股間側で連続していないパンツ型使い捨ておむつにおいて、吸収コア前端部５６Ｆの長さをＬ１、吸収コア５６と腹側外装シート１２Ｆとの重なり部分の長さをＬ２、吸収コア後端部５６Ｂの長さをＬ３、吸収コア５６と背側外装シート１２Ｂとの重なり部分の長さをＬ４、括れ部５６Ｎの幅をＷ１、吸収コア前端部の幅及び吸収コア後端部の幅をＷ２としたとき、９０ｍｍ≦Ｗ１＜Ｗ２≦１９０ｍｍ、０ｍｍ≦Ｌ１−Ｌ２≦７０ｍｍ、及び０ｍｍ≦Ｌ３−Ｌ４≦５０ｍｍとなるように構成する。【選択図】図６
2008272426.tif 000002
【特許請求の範囲】
【請求項１】
装着者の胴回りのうち腹側を覆う腹側外装シートと背側を覆う背側外装シートとからなり、腹側外装シートの上端縁と背側外装シートの上端縁とを揃えた状態で、腹側外装シートの幅方向両側縁の接合部と背側外装シートの幅方向両側縁の接合部とが接合されて形成された筒状の胴回り部と、
前端部が前記腹側外装シートの幅方向中央部内面に連結されるとともに、後端部が前記背側外装シートの幅方向中央部内面に連結され、且つ背側から股間部を通り腹側までを覆う内装体とを備え、
前記内装体は、液透過性表面シートと、その外面側に配された、繊維集合体により形作られた吸収コアとを備えており、
前記腹側外装シートと背側外装シートとが股間側で連続しておらず、離間されているパンツ型使い捨ておむつにおいて、
前記吸収コアは、前端部、後端部及びこれらの間に位置し、前端部及び後端部と比べて幅が狭い括れ部とを有しており、
前記吸収コア前端部の前後方向長さをＬ１とし、前記吸収コアと前記腹側外装シートとの重なり部分における前後方向長さをＬ２とし、前記吸収コア後端部の前後方向長さをＬ３とし、前記吸収コアと前記背側外装シートとの重なり部分における前後方向長さをＬ４とし、前記括れ部の最小幅をＷ１とし、前記吸収コア前端部の幅及び吸収コア後端部の幅をＷ２としたとき、下記の式（１）〜（３）を満足するように構成されていることを特徴とするパンツ型使い捨ておむつ。
７０ｍｍ  ≦  Ｗ１  ＜  Ｗ２  ≦  １９０ｍｍ  …（１）
０ｍｍ  ≦  Ｌ１−Ｌ２  ≦  ７０ｍｍ  …（２）
０ｍｍ  ≦  Ｌ３−Ｌ４  ≦  ５０ｍｍ  …（３）
【請求項２】
前記内装体のうち、少なくとも内装体の幅方向両側縁と腹側外装シートの下端縁との交点近傍及び内装体の幅方向両側縁と背側外装シートの下端縁との交点近傍では、剛性が１５〜５０ｃＮ／５０ｍｍである、請求項１記載のパンツ型使い捨ておむつ。
【請求項３】
前記内装体の幅方向両側部に、身体側に起立する帯状のバリヤーカフスが前後方向に沿って内装体の前端から後端までにわたり設けられており、
このバリヤーカフスの前側部分、後側部分及びこれらの間の中間部分のうち、前側部分及び後側部分は起立しないように畳まれた状態で前記表面シートに対して固定されるとともに、中間部分は非固定とされ、且つ少なくともこの中間部分に細長状弾性伸縮部材が前後方向に沿って伸張した状態で固定されており、
前記バリヤーカフスの前側部分の前後方向長さをＬ５とし、前記バリヤーカフスの後側部分の前後方向長さをＬ６としたとき、下記の式（４）及び（５）を満足するように構成されている、請求項１又は２記載のパンツ型使い捨ておむつ。
Ｌ２  ＜  Ｌ５  …（４）
Ｌ４  ＜  Ｌ６  …（５）
【請求項４】
前記吸収コアは、前記吸収コア前端部及び吸収コア後端部の各々における幅方向両側部の繊維密度が幅方向中間部の繊維密度よりも高いものである、請求項１〜３のいずれか１項に記載のパンツ型使い捨ておむつ。
【請求項５】
前記内装体の幅方向両側部に沿って前後方向に延在する帯状の内側バリヤーカフスがそれぞれ設けられるとともに、これら内側バリヤーカフスの外側に、前記内装体の幅方向両側部に沿って前後方向に延在する帯状の外側バリヤーカフスがそれぞれ設けられており、
前記内側バリヤーカフスは、幅方向一方側の端部が前記内装体の幅方向の端部に対して固定された内側取付部分とされ、この内側取付部分以外の部分は内側取付部分から突出する内側突出部分とされ、この内側突出部分のうち前後方向両端部が前記表面シートの表面に固定され、前後方向中間部が非固定の内側自由部分とされ、この内側自由部分の少なくとも先端部に前後方向に沿う細長状弾性部材が伸張状態で固定されており、
前記外側バリヤーカフスは、幅方向一方側の端部が前記内装体の幅方向の端部における裏面側部位に対して固定された外側取付部分とされ、この外側取付部分以外の部分は外側取付部分から突出する外側突出部分とされ、この外側突出部分のうち前後方向両端部は、前記外側取付部分から前記内装体の側部を通り前記内側バリヤーカフスにおける内側突出部分の前後方向両端部の表面まで延在し且つ前記内側突出部分の前後方向両端部の表面に固定された付け根側部分と、この付け根側部分の先端から幅方向外側に折り返され且つ前記付け根側部分に固定された先端側部分とからなり、前後方向中間部が非固定の外側自由部分とされ、この外側自由部分の少なくとも先端部に前後方向に沿う細長状弾性部材が伸張状態で固定されている、
請求項１〜４のいずれか１項に記載のパンツ型使い捨ておむつ。
【発明の詳細な説明】
【技術分野】
【０００１】
本発明は、外装シートが腹側及び背側の２つに分割されているパンツ型使い捨ておむつに関するものである。
【背景技術】
【０００２】
一般的なパンツ型使い捨ておむつは、前身頃の両側部と後身頃の両側部とがそれぞれ接合されることにより、両側に接合部が形成されるとともに、胴開口部及び左右一対の脚開口部が形成された外装シートと、その内面の幅方向中央に沿って腹側から股間を通り背側までの範囲に固定された内装体とを備えているものであり、装着者の両足を胴開口部に通して脚開口部に挿入することにより装着するものである。内装体は、液透過性表面シートと、その外面側に配された、繊維集合体により形作られた吸収コアとを備えている。繊維集合体としては、パルプ繊維を積繊することにより形成されたものが汎用されている。
このような一体的な外装シートを用いる種類に対して、近年、外装シートを腹側及び背側の２つに分割した２分割タイプともいうべき使い捨ておむつが提案されている（例えば特許文献１参照）。２分割タイプでは、製造時に脚開口部を打ち抜く際のトリム（余分な廃棄部分）が少ないことや、腹側外装シート及び背側外装シートの各素材を個別に選択できること、装着時には足を通しやすいためはきやすい（はかせやすい）こと、装着中には足を動かしやすいことといった利点がある。
【特許文献１】特開２００５−０２７８３９号公報
【発明の開示】
【発明が解決しようとする課題】
【０００３】
２分割タイプにおいては、吸収コアの形状が脚の自由度に強く影響を及ぼすため、脚周りのへのフィット性を高めるために吸収コアの前後方向中間部をできる限り長い範囲にわたり括れさせるのが好ましい。
しかし、２分割タイプでは、内装体と腹側外装シート及び背側外装シートとの接着部分の面積が極端に少なくなり、内装体にかかる力が接着部分に集中するため、単にフィット性のみを考慮して吸収コアを括れさせ、吸収コアの剛性を低下させてしまうと、図１１に示すように、吸収コアが変形することにより、内装体と腹側外装シート又は背側外装シートとの接着が剥れたり、お尻がはみ出す等の見栄えや装着感の悪化を引き起こしたりするおそれがあった。
また、２分割タイプでは脚周りを押さえる外装シートの面積が狭くなり脚周りの自由度が増すため、脚周りに隙間が生じ易かった
そこで、本発明の主たる課題は、２分割タイプにおけるこれらの問題点を解決することにある。
【課題を解決するための手段】
【０００４】
上記課題を解決した本発明は次記の通りである。
＜請求項１記載の発明＞
装着者の胴回りのうち腹側を覆う腹側外装シートと背側を覆う背側外装シートとからなり、腹側外装シートの上端縁と背側外装シートの上端縁とを揃えた状態で、腹側外装シートの幅方向両側縁の接合部と背側外装シートの幅方向両側縁の接合部とが接合されて形成された筒状の胴回り部と、
前端部が前記腹側外装シートの幅方向中央部内面に連結されるとともに、後端部が前記背側外装シートの幅方向中央部内面に連結され、且つ背側から股間部を通り腹側までを覆う内装体とを備え、
前記内装体は、液透過性表面シートと、その外面側に配された、繊維集合体により形作られた吸収コアとを備えており、
前記腹側外装シートと背側外装シートとが股間側で連続しておらず、離間されているパンツ型使い捨ておむつにおいて、
前記吸収コアは、前端部、後端部及びこれらの間に位置し、前端部及び後端部と比べて幅が狭い括れ部とを有しており、
前記吸収コア前端部の前後方向長さをＬ１とし、前記吸収コアと前記腹側外装シートとの重なり部分における前後方向長さをＬ２とし、前記吸収コア後端部の前後方向長さをＬ３とし、前記吸収コアと前記背側外装シートとの重なり部分における前後方向長さをＬ４とし、前記括れ部の最小幅をＷ１とし、前記吸収コア前端部の幅及び吸収コア後端部の幅をＷ２としたとき、下記の式（１）〜（３）を満足するように構成されていることを特徴とするパンツ型使い捨ておむつ。
７０ｍｍ  ≦  Ｗ１  ＜  Ｗ２  ≦  １９０ｍｍ  …（１）
０ｍｍ  ≦  Ｌ１−Ｌ２  ≦  ７０ｍｍ  …（２）
０ｍｍ  ≦  Ｌ３−Ｌ４  ≦  ５０ｍｍ  …（３）
【０００５】
（作用効果）
本発明のパンツ型使い捨ておむつでは、上記式（１）の条件を満たすことで、吸収コアの幅が十分に確保されるとともに、上記式（２）及び（３）の条件を満たすことで、より幅の広い吸収コア前端部及び後端部が、腹側外装シート及び背側外装シートの下縁よりも股間側に十分延在する。その結果、吸収コアの高剛性部分が腹側外装シート及び背側外装シートの下縁よりも股間側に十分延在することになり、内装体と腹側外装シート及び背側外装シートとの接着部分に力が集中したとしても、吸収コアが変形し難くなり、内装体と腹側外装シート又は背側外装シートとの接着が剥れたり、お尻がはみ出す等の見栄えや装着感の悪化を引き起こしたりするおそれが低減するようになる。
【０００６】
＜請求項２記載の発明＞
前記内装体のうち、少なくとも内装体の幅方向両側縁と腹側外装シートの下端縁との交点近傍及び内装体の幅方向両側縁と背側外装シートの下端縁との交点近傍では、剛性が１５〜５０ｃＮ／５０ｍｍである、請求項１記載のパンツ型使い捨ておむつ。
【０００７】
（作用効果）
内装体のうちの少なくとも本項記載の部分の剛性が本項記載の範囲内にあると、前述した本発明の効果がより一層のものとなる。
【０００８】
＜請求項３記載の発明＞
前記内装体の幅方向両側部に、身体側に起立する帯状のバリヤーカフスが前後方向に沿って内装体の前端から後端までにわたり設けられており、
このバリヤーカフスの前側部分、後側部分及びこれらの間の中間部分のうち、前側部分及び後側部分は起立しないように畳まれた状態で前記表面シートに対して固定されるとともに、中間部分は非固定とされ、且つ少なくともこの中間部分に細長状弾性伸縮部材が前後方向に沿って伸張した状態で固定されており、
前記バリヤーカフスの前側部分の前後方向長さをＬ５とし、前記バリヤーカフスの後側部分の前後方向長さをＬ６としたとき、下記の式（４）及び（５）を満足するように構成されている、請求項１又は２記載のパンツ型使い捨ておむつ。
Ｌ２  ＜  Ｌ５  …（４）
Ｌ４  ＜  Ｌ６  …（５）
【０００９】
（作用効果）
本項記載の発明は、バリヤーカフスの起立のために前側部分及び後側部分に必要とされる接着等による固定を利用して、内装体の両側部の剛性を高めようとするものである。特徴的には、上記式（４）及び（５）の条件を満たすことで、バリヤーカフスの固定部分により、力の集中し易い、腹側外装シート及び背側外装シートの下縁近傍における内装体両側部の剛性が向上する。よって、前述した本発明の効果がより一層のものとなる。
【００１０】
＜請求項４記載の発明＞
前記吸収コアは、前記吸収コア前端部及び吸収コア後端部の各々における幅方向両側部の繊維密度が幅方向中間部の繊維密度よりも高いものである、請求項１〜３のいずれか１項に記載のパンツ型使い捨ておむつ。
【００１１】
（作用効果）
本項記載の発明は、吸収コアのうち少なくとも前端部及び後端部において幅方向両側部のみ高密度化するところに特徴を有するものである。このような高密度化を行うことにより、吸収コアに要求される諸特性を損ねずに、力の集中し易い、腹側外装シート及び背側外装シートの下縁近傍における内装体両側部の剛性が向上する。よって、前述した本発明の効果がより一層のものとなる。
【００１２】
＜請求項５記載の発明＞
前記内装体の幅方向両側部に沿って前後方向に延在する帯状の内側バリヤーカフスがそれぞれ設けられるとともに、これら内側バリヤーカフスの外側に、前記内装体の幅方向両側部に沿って前後方向に延在する帯状の外側バリヤーカフスがそれぞれ設けられており、
前記内側バリヤーカフスは、幅方向一方側の端部が前記内装体の幅方向の端部に対して固定された内側取付部分とされ、この内側取付部分以外の部分は内側取付部分から突出する内側突出部分とされ、この内側突出部分のうち前後方向両端部が前記表面シートの表面に固定され、前後方向中間部が非固定の内側自由部分とされ、この内側自由部分の少なくとも先端部に前後方向に沿う細長状弾性部材が伸張状態で固定されており、
前記外側バリヤーカフスは、幅方向一方側の端部が前記内装体の幅方向の端部における裏面側部位に対して固定された外側取付部分とされ、この外側取付部分以外の部分は外側取付部分から突出する外側突出部分とされ、この外側突出部分のうち前後方向両端部は、前記外側取付部分から前記内装体の側部を通り前記内側バリヤーカフスにおける内側突出部分の前後方向両端部の表面まで延在し且つ前記内側突出部分の前後方向両端部の表面に固定された付け根側部分と、この付け根側部分の先端から幅方向外側に折り返され且つ前記付け根側部分に固定された先端側部分とからなり、前後方向中間部が非固定の外側自由部分とされ、この外側自由部分の少なくとも先端部に前後方向に沿う細長状弾性部材が伸張状態で固定されている、
請求項１〜４のいずれか１項に記載のパンツ型使い捨ておむつ。
【００１３】
（作用効果）
本項記載の発明は、バリヤーカフスを内外二重に形成するとともに、内側バリヤーカフスの内側突出部分における前後方向両端部の固定部は折り返さずに、外側バリヤーカフスの外側突出部部分における前後方向両端部を幅方向外向きに折り返し、且つ外側バリヤーカフスの外側取付部分を内装体の裏面側部位に配したところに特徴を有するものである。外側バリヤーカフスの外側取付部分が内装体の裏面側に位置していると、外側バリヤーカフスが前後方向中間部において幅方向外側に開くように起立し、脚周りに面で当接するようになるため、フィット性が向上する。さらに、内側突出部分における前後方向両端部の固定部は折り返さずに、外側突出部部分における前後方向両端部の固定部を幅方向外向きに折り返しているため、内側及び外側バリヤーカフスにおける内側及び外側自由部分間の離間状態が維持され、内側及び外側バリヤーカフスが広い間隔で確実に起立し、それぞれが脚周りにフィットするようになるため、漏れ防止性に優れたものとなる。つまり、起立性に優れかつ肌に面で当たりやすい形状のバリヤーカフスが、離間した位置で二重にフィットするため、排泄物のもれを確実に防止することができる。
【発明の効果】
【００１４】
以上のとおり、本発明によれば、吸収コアが変形し難くなり、内装体と腹側外装シート又は背側外装シートとの接着が剥れたり、お尻がはみ出す等の見栄えや装着感の悪化を引き起こしたりするおそれが低減する等の利点がもたらされる。
【発明を実施するための最良の形態】
【００１５】
以下、本発明を図面に示す実施の形態によってさらに詳説する。
＜第１の実施形態＞
図１〜図９は、本発明に係るパンツ型使い捨ておむつの一例を示している。図１の符号において、「前後方向」とは、腹側と背側を結ぶ方向を意味し、「幅方向」とは前後方向と直交する方向を意味し、「上下方向」とは胴回り方向と直交する方向、換言すればウエスト開口部ＷＯ側と股間部側とを結ぶ方向を意味する。
このパンツ型使い捨ておむつ１０は、装着者の胴回りのうち腹側を覆う腹側外装シート１２Ｆと背側を覆う背側外装シート１２Ｂとを有しており、腹側外装シート１２Ｆの幅方向両側縁の接合部１２Ａと背側外装シート１２Ｂの幅方向両側縁の接合部１２Ａとが、ヒートシールや超音波溶着等により接合されて筒状の胴回り部１２が形成されるように構成されている。図示形態のように、背側外装シート１２Ｂが接合部１２Ａよりも下側に延出している場合には、この部分までを含む上下方向範囲に一体的にヒートシール等の加工を施し、背側延出部１４に延出溶着部１２Ｅを設けることができる。延出溶着部１２Ｅを設けることにより、後述する背側延出部１４の第２の細長状弾性伸縮部材１６の引き込みを防止することができる。この場合、脇部の破りやすさを考慮して、接合部１２Ａは小さな溶着部の集合からなり、接合部１２Ａにおける溶着面積の比率が低い接合パターンとすることが一般的であるが、延出溶着部１２Ｅでは破りやすさを考慮する必要が無いため、溶着パターンは接合部１２Ａよりも溶着面積の比率を高くすることにより第２の細長状弾性伸縮部材１６が確実に溶着固定されるようにしてもよい。また、延出溶着部１２Ｅは臀部カバー部１４Ｃの縁部をカーブしたラインで溶着し、臀部カバー部１４Ｃの第２の細長状弾性伸縮部材１６の引き込みを防止することもできる。
また、胴回り部１２における腹側外装シート１２Ｆの幅方向中央部内面に内装体２０の前端部がホットメルト接着剤等により連結されるとともに、背側外装シート１２Ｂの幅方向中央部内面に内装体２０の後端部がホットメルト接着剤等により連結されており、腹側外装シート１２Ｆと背側外装シート１２Ｂとが股間側で連続しておらず、離間されている。この離間距離Ｙは１５０〜２５０ｍｍ程度とすることができる。
図７及び図８からも判るように、胴回り部１２の上部開口は、装着者の胴を通すウエスト開口部ＷＯとなり、内装体２０の幅方向両側において胴回り部１２の下縁および内装体２０の側縁によりそれぞれ囲まれる部分が脚を通す脚開口部ＬＯとなる。各接合部１２Ａを剥がして展開した状態では、図１に示すように砂時計形状をなす。内装体２０は、背側から股間部を通り腹側までを覆うように延在するものであり、排泄物を受け止めて液分を吸収し保持する部分であり、胴回り部１２は内装体２０を装着者に対して支持する部分である。
【００１６】
（外装シート）
腹側外装シート１２Ｆ及び背側外装シート１２Ｂは、図４及び図５にも示すように不織布等のシートＳ１，Ｓ２を２枚貼り合せてなり、胴回りに対するフィット性を高めるために、両シートＳ１，Ｓ２間に糸ゴム等の細長状弾性伸縮部材１５〜１９が所定の伸張率で設けられているものである。不織布を用いる場合、その坪量は１０〜３０ｇ／ｍ2程度とするのが好ましい。不織布は、その原料繊維が何であるかは特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。また、細長状弾性伸縮部材１５〜１８，１９Ｔ，１９Ｕとしては、合成ゴムを用いても、天然ゴムを用いても良い。各外装シート１２Ｆ，１２Ｂの両シートＳ１，Ｓ２の貼り合せや、その間に挟まれる細長状弾性伸縮部材１５〜１９の固定にはホットメルト接着またはヒートシールや超音波接着を用いることができる。外装シート１２Ｆ，１２Ｂ全面を強固に固定するとシートの風合いを損ねるため好ましくない。これらを組合せ、細長状弾性伸縮部材１５〜１９の接着は強固にし、それ以外の部分は接着しないか弱く接着するのが好ましい。
より詳細には、背側外装シート１２Ｂは、接合部１２Ａと同じ上下方向範囲を占める背側本体部１３と、この背側本体部１３の下側に延出する背側延出部１４とを有している。背側延出部１４は、吸収性本体２０と重なる幅方向中央部１４Ｍと、その両側に延出した臀部カバー部１４Ｃとを有している。
【００１７】
背側延出部１４の形状は適宜定めることができるが、図示例では、背側延出部１４の上端部は、背側本体部１３と同幅で背側本体部１３の下側に延出されており、その下側は股間側に近づくにつれて幅が狭められている。背側本体部１３と同幅の部分は省略することもできる。このように構成されていると、臀部カバー部１４Ｃの幅方向外側の縁１４ｅが、股間側に近づくにつれて吸収性本体２０側に近づくような直線状または曲線状をなすようになり、臀部を覆い易い形状となる。
背側延出部１４の寸法は適宜定めることができるが、図６に示すように、臀部カバー部１４Ｃの幅方向長さ１４ｘ（臀部カバー部１４Ｃの幅方向外側の縁１４ｅと吸収性本体２０の側縁との幅方向の最大離間距離）が８０〜１６０ｍｍであり、臀部カバー部１４Ｃの上下方向の長さ１４ｙ（延出長さ）が３０〜８０ｍｍであると、より好ましい。また、背側延出部１４の幅方向に最も広い部位と上下方向に最も広い部位により定まる四角形の面積をＳとすると、背側延出部１４の面積はＳに対して２０〜８０％、特に４０〜６０％程度であると、臀部の外観および装着感に優れるため、好ましい。
【００１８】
背側本体部１３は、上下方向において概念的に上端部（ウエスト部）Ｗと、これよりも下側の下側部分Ｕとに分けることができ、その範囲は製品のサイズによって異なるが、一般に、上端部Ｗの上下方向長さは１５〜８０ｍｍ、下側部分Ｕの上下方向長さは３５〜２２０ｍｍとすることができる。
背側本体部１３の上端部（ウエスト部）Ｗには、幅方向全体にわたり連続するように、複数の背側ウエスト部弾性伸縮部材１７が上下方向に間隔を空けて、かつ所定の伸張率で幅方向に沿って伸張された状態で固定されている。また、背側ウエスト部弾性伸縮部材１７のうち、背側本体部１３の下側部分Ｕに隣接する領域に配設される１本または複数本については、吸収コア２０と重なっていてもよいし、吸収性本体２０と重なる幅方向中央部を除いてその幅方向両側にそれぞれ設けてもよい。この背側ウエスト弾性伸縮部材１７としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、４〜１２ｍｍの間隔で３〜２２本程度、それぞれ伸張率１５０〜４００％、特に２２０〜３２０％程度で固定するのが好ましい。また、背側ウエスト部弾性伸縮部材１７は、その全てが同じ太さと伸張率にする必要はなく、例えば背側ウエスト部の上部と下部で弾性伸縮部材の太さと伸張率が異なるようにしてもよい。この背側ウエスト部弾性伸縮部材１７は、第１及び第２の細長状弾性伸縮部材１５，１６に対して太さや伸張率の大小関係無く、自由に定めることができる。
また、背側本体部１３の下側部分Ｕにおいては、吸収性本体２０と重なる幅方向中央部を除いて、その上側および幅方向両側の各部位に、幅方向全体にわたり連続するように、複数の第１の細長状弾性伸縮部材１５が上下方向に間隔を空けて、かつ所定の伸張率で幅方向に沿って伸張された状態で固定されている。
【００１９】
第１の細長状弾性伸縮部材１５としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、１〜１５ｍｍ、特に３〜８ｍｍの間隔で５〜３０本程度、それぞれ伸張率２００〜３５０％、特に２４０〜３００％程度で固定するのが好ましい。
また、背側延出部１４においては、吸収性本体２０と重なる幅方向中央部を除いて、その幅方向両側の各部位に、幅方向全体にわたり（少なくとも臀部カバー部１４Ｃ全体にわたり）連続するように、複数の第２の細長状弾性伸縮部材１６が上下方向に間隔を空けて、かつ所定の伸張率で幅方向に沿って伸張された状態で固定されている。
第２の細長状弾性伸縮部材１６としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、５〜４０ｍｍ、特に５〜３０ｍｍの間隔で２〜１０本程度、それぞれ伸張率１５０〜３００％、特に１８０〜２６０％で固定するのが好ましい。
【００２０】
一方、腹側外装シート１２Ｆは背側外装シート１２Ｂの背側本体部１３と基本的に同様の腹側本体部（接合部１２Ａと同じ上下方向範囲を占める部分）のみからなるものであり、胴回り方向に沿って延在する矩形状をなし、背側外装シート１２Ｂのような背側延出部１４を有していないものである。
すなわち、腹側外装シート（腹側本体部）１２Ｆの上端部（ウエスト部）Ｗおよび下側部分Ｕのうち、上端部Ｗには、幅方向全体にわたり連続するように、複数の腹側ウエスト部弾性伸縮部材１８が上下方向に間隔を空けて、かつ所定の伸張率で幅方向に沿って伸張された状態で固定されている。この腹側ウエスト部弾性伸縮部材１８は、背側ウエスト部弾性伸縮部材１７に対して、本数、太さ、伸張率、間隔、及び上下方向配置をできるだけ近づけるのが好ましいが、異ならしめることもでき、異ならしめる場合、本数の差は１０本以下、好ましくは５本以下、太さの差は１８８０ｄｔｅｘ以下、好ましくは４７０ｄｔｅｘ以下、伸張率の差は１００％以下、好ましくは４０％以下、間隔の差は１０ｍｍ以下、好ましくは５ｍｍ以下である。
【００２１】
また、腹側外装シート１２Ｆ（腹側本体部）の下側部分Ｕにおいては、吸収性本体２０と重なる幅方向中央部を除いて、その上側および幅方向両側の各部位に、幅方向全体にわたり連続するように、複数の第３の細長状弾性伸縮部材１９が上下方向に間隔を空けて、かつ所定の伸張率で幅方向に沿って伸張された状態で固定されている。第３の細長状弾性伸縮部材１９の上下方向配設範囲は、下側部分の一部としても良いが、実質的に全体（全体に伸縮力が作用する範囲）とするのが好ましい。
第３の細長状弾性伸縮部材１９としては、第１の細長状弾性伸縮部材１５と、本数、太さ、伸張率、間隔、及び上下方向配置をできるだけ近づけるのが好ましいが、異ならしめることもでき、異ならしめる場合、本数の差は１０本以下、好ましくは５本以下、太さの差は１８８０ｄｔｅｘ以下、好ましくは４７０ｄｔｅｘ以下、伸張率の差は１００％以下、好ましくは４０％以下、間隔の差は１０ｍｍ以下、好ましくは５ｍｍ以下である。
【００２２】
図示形態の腹側外装シート１２Ｆは、接合部１２Ａと同じ上下方向範囲を占める部分のみからなるものとしたが、背側と同様に、接合部１２Ａと同じ上下方向範囲を占める腹側本体部と、この腹側本体部の下側に延出する腹側延出部とからなる構成とすることもできる。これにより、腹側外装シート１２Ｆの脚周り形状を鼠蹊部に沿ってフィットする形状とすることができる。この場合、腹側延出部の面積は、背側延出部の面積の１０〜８０％であるのが好ましく、２０〜５０％であるとより好ましい。腹側延出部が過度に大きいと、かえってフィット性を損なうため好ましくない。
他方、図示のように、第１、第２及び第３の細長状弾性伸縮部材１５、１６及び１９が、吸収性本体２０と重なる幅方向中央部を除いてその幅方向両側にそれぞれ設けられていると、内装体と外装シートが剥れにくいため好ましいが、この形態には、幅方向両側にのみ弾性伸縮部材が存在する形態の他、吸収性本体２０を横切ってその幅方向一方側から他方側まで弾性伸縮部材が存在しているが、吸収性本体２０と重なる幅方向中央部では弾性伸縮部材が切断され、伸縮力が作用しない（実質的には、弾性伸縮部材を設けないことに等しい）ように構成されている形態も含まれる。また、本発明では、背側本体部１３および背側延出部１４の幅方向全体にわたり伸縮力が作用するように、第１、第２及び第３の細長状弾性伸縮部材１５、１６及び１９の一部または全部を、吸収性本体２０を横切ってその幅方向一方側から他方側まで設けることもできる。
【００２３】
（内装体）
内装体２０は任意の形状を採ることができるが、図示の形態では長方形である。内装体２０は、図３に示されるように、身体側となる表面シート３０と、液不透過性シート７０と、これらの間に介在された吸収要素５０とを備えている。液不透過性シート７０の裏面側には、内装体２０の裏面全体を覆うように、あるいは腹側外装シート１２Ｆと背側外装シート１２Ｂとの間に露出する部分全体を覆うように、股間部外装シート１２Ｍを固定することもできる。また、表面シート３０を透過した液を速やかに吸収要素５０へ移行させるために、表面シート３０と吸収要素５０との間に、中間シート（セカンドシート）４０を設けることができる。さらに、吸収部２０の両脇に排泄物が漏れるのを防止するために、内装体２０の両側に、身体側に起立するバリヤーカフス６０，６１を設けることができる。なお、図示しないが、内装体２０の各構成部材は、ホットメルト接着剤などのベタ、ビードまたはスパイラル塗布などにより、適宜相互に固定することができる。また、内装体２０は、メカニカルファスナーや粘着材を用い、外装シート２０に対して着脱自在に取り付けることもできる。
なお、内装体２０の幅方向両側部、特に内装体２０の幅方向両側縁と腹側外装シート１２Ｆの下端縁との交点近傍及び背側外装シート１２Ｂの下端縁との交点近傍では、内装体２０の剛性（剛度）が１５〜５０ｃＮ／５０ｍｍ、好ましくは２０〜３５ｃＮ／５０ｍｍであると、本発明の効果がより一層のものとなる。一方、それ以外の部分、例えば幅方向中間部については柔軟性を考慮して、剛性を５〜３５ｃＮ／５０ｍｍ、好ましくは１０〜２５ｃＮ／５０ｍｍと低くするのが好ましい。なお、剛性を高くする範囲は、幅方向には内装体２０の幅方向両側縁から中央側に５〜３０ｍｍの範囲、前後方向には内装体２０と腹側外装シート１２Ｆ，背側外装シート１２Ｂの交点から前後方向にそれぞれ５０ｍｍ以内（吸収コア５６の括れ部５６Ｎと重複する部分は含まない）とするのが好ましい。
【００２４】
（剛度試験）
剛性（剛度）は、ＪＩＳ Ｋ ７１７１（プラスチック‐曲げ剛性の試験方法）に準拠し、次の方法で測定する。測定にはテンシロン試験機（圧子先端部の曲率半径Ｒ１＝５．０±０．１ｍｍ、支持プレート先端部の曲率半径Ｒ２＝５．０±０．２ｍｍ）を用い、内装体２０の製品前後方向の曲げ剛性を測定する。試験片は、内装体２０から測定に影響する弾性伸縮部材を取り除き、これをおむつ長手方向８０ｍｍ、おむつ幅方向５０ｍｍの長方形に切り取ることにより作製する。曲げ剛性値の単位中の５０ｍｍは試験片の短辺の長さであり、試験時の圧子でたわませた試験片の幅である。それぞれ断面円弧状の先端部を有し、両先端部の先端（上端）間の間隔を５０ｍｍとして、互いに平行に且つ両先端部の高さ位置を揃えて配置された一対の支持プレート上に、上記の試験片を、その長手方向を各プレートに直交する方向に向けて、掛け渡すように載置し、その試験片に僅かに接するように圧子先端部を配置する。ロードセル５ｋｇ（レンジ１９６ｃＮ）、速度３０ｍｍ／ｍｉｎの条件で圧子を降下させ、荷重‐たわみ曲線を得る。得られた曲げ応力の最大値を曲げ剛性値（ｃＮ／５０ｍｍ）とする。なお、測定対象となる部位が上記サンプリング寸法より小さい場合は、小スケールの試験片で測定を行い、寸法比に基づいて比例計算にて換算する。
【００２５】
（表面シート）
表面シート３０は、液を透過する性質を有する。したがって、表面シート３０の素材は、この液透過性を発現するものであれば足り、例えば、有孔又は無孔の不織布や、多孔性プラスチックシートなどを例示することができる。また、このうち不織布は、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。例えば、柔軟性、ドレープ性を求めるのであれば、スパンボンド法、スパンレース法が、嵩高性、ソフト性を求めるのであれば、エアスルー法、ポイントボンド法、サーマルボンド法が、好ましい加工方法となる。
また、表面シート３０は、１枚のシートからなるものであっても、２枚以上のシートを貼り合せて得た積層シートからなるものであってもよい。同様に、表面シート３０は、平面方向に関して、１枚のシートからなるものであっても、２枚以上のシートからなるものであってもよい。
バリヤーカフス６０，６１を設ける場合、表面シート３０の両側部は、液不透過性シート７０とバリヤーカフス６０，６１との間を通して、吸収要素５０の裏側まで回りこませ、液の浸透を防止するために、液不透過性シート７０及びバリヤーカフス６０，６１に対してホットメルト接着剤等により接着するのが好ましい。これにより、内装体２０の両側部の剛性が向上するという効果も得られる。
【００２６】
（中間シート）
表面シート３０を透過した液を速やかに吸収コアへ移行させるために、表面シート３０より液の透過速度が速い、通常「セカンドシート」と呼ばれる中間シート４０を設けることができる。この中間シート４０は、液を速やかに吸収コアへ移行させて吸収コアによる吸収性能を高めるばかりでなく、吸収した液の吸収コアからの「逆戻り」現象を防止し、表面シート３０上を常に乾燥した状態とすることができる。中間シート４０は省略することもできる。
中間シート４０としては、表面シート３０と同様の素材や、スパンレース、スパンボンド、ＳＭＳ、パルプ不織布、パルプとレーヨンとの混合シート、ポイントボンド又はクレープ紙を例示できる。特にエアスルー不織布が嵩高であるため好ましい。エアスルー不織布には芯鞘構造の複合繊維を用いるのが好ましく、この場合芯に用いる樹脂はポリプロピレン（ＰＰ）でも良いが剛性の高いポリエステル（ＰＥＴ）が好ましい。目付けは２０〜８０ｇ／ｍ2が好ましく、２５〜６０ｇ／ｍ2がより好ましい。不織布の原料繊維の太さは２．２〜１０ｄｔｅｘであるのが好ましい。不織布を嵩高にするために、原料繊維の全部又は一部の混合繊維として、芯が中央にない偏芯の繊維や中空の繊維、偏芯且つ中空の繊維を用いるのも好ましい。
図示の形態の中間シート４０は、吸収コア５６の幅より短く中央に配置されているが、全幅にわたって設けてもよい。中間シート４０の長手方向長さは、吸収コア５６の長さと同一でもよいし、液を受け入れる領域を中心にした短い長さ範囲内であってもよい。中間シート４０が幅方向側部から吸収コア５６の裏面側まで回り込み、ホットメルト接着剤等により接着固定されていると、内装体２０の両側部の剛性が向上する。中間シート４０の代表的な素材は液の透過性に優れる不織布である。
【００２７】
（液不透過性シート）
液不透過性シート７０の素材は、特に限定されるものではないが、例えば、ポリエチレンやポリプロピレン等のオレフィン系樹脂や、ポリエチレンシート等に不織布を積層したラミネート不織布、防水フィルムを介在させて実質的に不透液性を確保した不織布（この場合は、防水フィルムと不織布とで液不透過性シートが構成される。）などを例示することができる。もちろん、このほかにも、近年、ムレ防止の観点から好まれて使用されている不透液性かつ透湿性を有する素材も例示することができる。この不透液性かつ透湿性を有する素材のシートとしては、例えば、ポリエチレンやポリプロピレン等のオレフィン系樹脂中に無機充填剤を混練して、シートを成形した後、一軸又は二軸方向に延伸して得られた微多孔性シートを例示することができる。さらに、マイクロデニール繊維を用いた不織布、熱や圧力をかけることで繊維の空隙を小さくすることによる防漏性強化、高吸水性樹脂または疎水性樹脂や撥水剤の塗工といった方法により、防水フィルムを用いずに液不透過性としたシートも、液不透過性シート７０として用いることができる。
液不透過性シート７０は、防漏性を高めるために、吸収要素５０の両側を回りこませて吸収要素５０の表面シート３０側面の両側部まで延在させるのが好ましい。これにより、内装体２０の両側部の剛性が向上するという効果も得られる。この延在部の幅は、左右それぞれ５〜２０ｍｍ程度が適当である。
また、液不透過性シート７０の内面または外面には、印刷や着色によるデザインを施しても良い。さらに液不透過性シート７０の外側に、股間部外装シート１２Ｍとは別部材の、印刷または着色を施したデザインシートを貼り付けても良い。また、液不透過性シート７０の内側に、液分の吸収により色が変化する排泄インジケータ８０を設けることができる。
【００２８】
（バリヤーカフス）
バリヤーカフス６０，６１は、内装体２０の両側部に沿って前後方向全体にわたり延在する帯状部材であり、表面シート３０上を伝わって横方向に移動する尿や軟便を阻止し、横漏れを防止するために設けられているものである。
本実施の形態では、図３及び図４にも示すように、内装体２０の左右各側において二重にバリヤーカフス６０，６１が設けられている。おむつを展開した状態では、図示のように、内側バリヤーカフス６１は内装体２０の側部から幅方向中央側に斜めに起立するものであり、外側バリヤーカフス６０は、内側バリヤーカフス６１の幅方向外側において内装体２０の側部から起立するように設けられ、付け根側の部分は幅方向中央側に向かって斜めに起立し、中間部より先端側の部分は幅方向外側に向かって斜めに起立するものである。
【００２９】
より詳細には、内側バリヤーカフス６１は、内装体２０の前後方向長さに等しい長さを有する帯状のバリヤーシート６２を幅方向に折り返して二つに折り重ねるとともに、折り返し部分及びその近傍のシート間に、細長状弾性伸縮部材６３を長手方向に沿って伸張状態で、幅方向に間隔をあけて複数本固定してなるものである。細長状弾性伸縮部材６３は、バリヤーシート６２に対し、前後端部では固定されておらず、中間部においてバリヤーカフスが前後に伸縮するように固定されている。バリヤーシート６２としては撥水性不織布等を用いることができ、細長状弾性伸縮部材６３としては糸ゴム等を用いることができる。スパンデックス糸ゴムを用いる場合は、太さは４２０〜１１２０ｄｔｅｘが好ましく、６２０〜９４０ｄｔｅｘがより好ましい。固定時の伸長率は、１５０〜３５０％が好ましく、２００〜３００％がより好ましい。また、図示しないが、二つに折り重ねたバリヤーシートの間に防水フィルムを介在させることもできる。
【００３０】
細長状弾性伸縮部材６３は、内側バリヤーカフス６１の先端部に１〜２本配置するのが好ましく、先端部と基端部との間の中間部にも１〜２本配置すると更に好ましい。中間部に細長状弾性伸縮部材６３があると、これを支点として中間部から先端部に亘る範囲で肌に対して面で当たりやすくなる。中間部の細長状弾性伸縮部材６３の配置位置は内側バリヤーカフス６１の高さ（突出部の幅方向長さ）の３０〜７０％範囲が好ましい。乳幼児用紙おむつでは、内側バリヤーカフス６１の高さは１５〜３５ｍｍ程度が好ましいため、細長状弾性伸縮部材６３の配置範囲は先端から基端側に５〜２５ｍｍの位置が好ましく、１２〜１８ｍｍの位置がより好ましい。内側バリヤーカフス６１の先端部及び／または中間部にそれぞれ細長状弾性伸縮部材６３を平行に設ける場合は、その配置間隔６１ｄは２〜１０ｍｍが好ましく、２〜６ｍｍがより好ましい。
【００３１】
そして、内側バリヤーカフス６１のうち幅方向において折り返し部分と反対側の端部は内装体２０の側縁部の裏面に固定された取付部分（内側取付部分）６５とされ、この取付部分６５以外の部分は取付部分６５から突出する突出部分６６（折り返し部分側の部分であり、内側突出部分に相当する）とされ、この突出部分６６のうち前後方向両端部が表面シート３０表面にホットメルト接着剤やヒートシールによる前後固定部６７により固定され、前後方向中間部が非固定の自由部分（内側自由部分）とされ、この自由部分に前後方向に沿う細長状弾性部材６３が伸張状態で固定されている。
外側バリヤーカフス６０も、内側バリヤーカフス６１と基本的に同様の構造を有するものであるが、その取付部分（外側取付部分）６８が、内装体２０の裏面側における内側バリヤーカフス６１の取付部分６５よりも幅方向中央側において内側バリヤーカフス６１の外面に固定される点、突出部分（外側突出部分）６９のうち前後方向両端部が、取付部分６８から内装体２０の側部を通り内側バリヤーカフス６１における内側突出部分６６の前後方向両端部の表面まで延在し且つ内側突出部分６６の前後方向両端部の表面に固定された付け根側部分と、この付け根側部分の先端から幅方向外側に折り返され且つ付け根側部分に固定された先端側部分とからなる点、細長状弾性伸縮部材６３の配置及び本数等で異なるものである。
【００３２】
外側バリヤーカフス６０の自由部分（外側自由部分）に設けられる細長状弾性伸縮部材６３の本数は２〜６本が好ましく、３〜５本がより好ましい。配置間隔６０ｄは３〜１０ｍｍが適当である。このように構成すると、細長状弾性伸縮部材６３を配置した範囲で肌に対して面で当たりやすくなる。先端側だけでなく付け根側にも細長状弾性伸縮部材６３を配置しても良い。外側バリヤーカフス６０に配置する細長状弾性伸縮部材６３の太さや伸長率は、内側バリヤーカフス６１に準ずるが、太さは内側バリヤーカフス６１のものと同じ、またはより太く、伸長率は内側バリヤーカフス６１のものと同じ、またはより低いほうが好ましい。
また、突出部分６６，６９の前後固定部６７の前後方向長さは、内側バリヤーカフス６１の方が外側バリヤーカフス６０と同じかまたは短く形成するのが好ましく、バリヤーカフス６０，６１における細長状弾性伸縮部材６３の前後方向固定長さは、内側バリヤーカフス６１の方が外側バリヤーカフス６０と同じかまたは長く形成するのが好ましい。取付部分６５と突出部分６６との境界は、外側バリヤーカフス６０と内側バリヤーカフス６１とで同じ位置であっても良いが、外側バリヤーカフス６０の境界が内側バリヤーカフス６１の境界よりも幅方向中央側に離間しているのが好ましく、その離間距離は１０ｍｍ以内が好ましい。
【００３３】
外側バリヤーカフス６０及び内側バリヤーカフス６１の取付部分６８，６５における突出部分６６，６９側の縁部には、ホットメルト接着剤やヒートシールによる線状の付け根固定部を形成するのが好ましい。また、他の固定部はホットメルト接着剤等を用いて適宜のパターンで固定することができる。この線状の付け根固定部は、内装体２０の表面側の側部近傍（具体的には側縁から幅方向に０〜５ｍｍ、好ましくは０〜３ｍｍの位置）または裏面側に位置するのが好ましい。この場合、バリヤーカフスを表面側に折り返して固定しているのは実質的に前後方向両端部のみとなるため、前後固定部６７による幅方向中央側への規制が十分に作用しない股間部においては、外側バリヤーカフス６０及び内側バリヤーカフス６１いずれもが幅方向外側に向かって起立し、内側バリヤーカフス６１の形成するポケットが広くなる。表面側で側縁から幅方向に５ｍｍを越えて線状の付け根固定部が位置すると、股間部においてもバリヤーカフスが幅方向中央側に向かって起立し、内側バリヤーカフス６１の形成するポケットが狭くなるため、好ましくない。裏面側に位置する場合は、内装体２０の側縁から０〜２０ｍｍの位置が適当だが、２０ｍｍを越えて位置してもよい。
外側及び内側バリヤーカフス６０，６１の取付部分６８，６５の固定対象は、内装体２０における表面シート３０、液不透過性シート７０、吸収要素５０等適宜の部材とすることができ、またいずれか一方のバリヤーカフスを介して他方のバリヤーカフスを内装体２０に対して固定することもできる。
【００３４】
かくして構成された外側及び内側バリヤーカフス６０，６１では、細長状弾性伸縮部材６３の収縮力が前後方向両端部を近づけるように作用するが、突出部分６６，６９のうち前後方向両端部が起立しないように固定されるのに対して、それらの間は非固定の自由部分とされているため、自由部分のみが図３に示すように身体側に当接するように起立する。特に、取付部分６８，６５が内装体２０の裏面側に位置していると、股間部及びその近傍において外側及び内側バリヤーカフス６０，６１が幅方向外側に開くように起立するため、外側及び内側バリヤーカフス６０，６１が脚周りに面で当接するようになり、フィット性が向上するようになる。一方、股間部の前後両側（腹部及び背部）においては、前後固定部６７により外側及び内側バリヤーカフス６０，６１が幅方向外側へ開かないように規制されるため、内側バリヤーカフス６１は高く起立し、外側バリヤーカフス６０の下半分も同様に起立するため、腹部及び背部における内装体２０両脇からのもれが確実に防止できる。また、内側バリヤーカフス６１の突出部分６６における前後固定部６７は折り返さずに、外側バリヤーカフス６０の突出部部分６８における前後固定部６７は外向きに折り返されているため、外側及び内側バリヤーカフス６０，６１における内側及び外側自由部分間の離間状態が維持され、外側及び内側バリヤーカフス６０，６１が広い間隔で確実に起立し、それぞれが脚周りにフィットするようになるため、漏れ防止性に優れたものとなる。
【００３５】
バリヤーカフス６０，６１の寸法は適宜定めることができるが、乳幼児用紙おむつの場合は、例えば図７に示すように、内側バリヤーカフス６１の起立高さ（展開状態における突出部分６６の幅方向長さ）Ｗ５は１０〜５０ｍｍ、特に１５〜３５ｍｍであるのが好ましく、外側バリヤーカフス６０の起立高さ（展開状態における突出部分６９の幅方向長さ）Ｗ６は１５〜６０ｍｍ、特に２０〜４０ｍｍであるのが好ましい。また、内側バリヤーカフス６１をトップシート３０表面に倒した状態における先端間の離間距離Ｗ４は６０〜１７０ｍｍ、特に７０〜１２０ｍｍであるのが好ましい。また、外側バリヤーカフス６０をトップシート３０表面と平行になるように、平坦に折り畳んだ状態において最も内側に位置する折り目間の離間距離Ｗ３は６０〜１９０ｍｍ、特に７０〜１４０ｍｍであるのが好ましい。
なお、図示形態と異なり、外側及び内側バリヤーカフス６０，６１のいずれか一方のみを設けることもできる。
【００３６】
（吸収要素）
吸収要素５０は、吸収コア５６と、この吸収コア５６の少なくとも裏面及び側面を包む包被シート５８とを有する。包被シート５８は省略することもできる。
【００３７】
（吸収コア）
吸収コア５６は、綿状パルプ等の短繊維を積繊したものの他、セルロースアセテート等のフィラメントの集合体からなるもの等も使用できる。吸収コア５６中には高吸収性ポリマー粒子を分散保持させるのが好ましい。
【００３８】
特徴的には、図６にも示すように、吸収コア５６は、前端部５６Ｆ、後端部５６Ｂ及びこれらの間に位置し、前端部５６Ｆ及び後端部５６Ｂと比べて幅が狭い括れ部５６Ｎとを有しており、吸収コア前端部５６Ｆの前後方向長さをＬ１とし、吸収コア５６と腹側外装シート１２Ｆとの重なり部分における前後方向長さをＬ２とし、吸収コア後端部５６Ｂの前後方向長さをＬ３とし、吸収コア５６と背側外装シート１２Ｂとの重なり部分における前後方向長さをＬ４とし、括れ部５６Ｎの最小幅をＷ１とし、吸収コア前端部５６Ｆの幅及び吸収コア後端部５６Ｂの幅をＷ２としたとき、下記の式（１）〜（３）を満足するように構成される。
７０ｍｍ  ≦  Ｗ１  ＜  Ｗ２  ≦  １９０ｍｍ  …（１）
０ｍｍ  ≦  Ｌ１−Ｌ２  ≦  ７０ｍｍ  …（２）
０ｍｍ  ≦  Ｌ３−Ｌ４  ≦  ５０ｍｍ  …（３）
より好ましい範囲は下記のとおりである。
９０ｍｍ  ≦  Ｗ１  ≦  １２０ｍｍ  …（１´）
１００ｍｍ  ≦  Ｗ２  ≦  １９０ｍｍ  …（１´´）
３０ｍｍ  ＜  Ｌ１−Ｌ２  ≦  ６０ｍｍ  …（２´）
５ｍｍ  ＜  Ｌ３−Ｌ４  ≦  ３０ｍｍ  …（３´）
【００３９】
これらの条件を満足する必要があることは前述のとおりである。Ｗ１及びＷ２が狭過ぎると、吸収コアの剛性向上が不十分となり、広過ぎるとフィット性の低下により装着感が悪化する。
なお、前述の外装シート１２Ｆ，１２Ｂが接合部１２Ａと同じ上下方向範囲を占める部分のみからなる場合には、内装体２０と外装シート１２Ｆ，１２Ｂとがほぼ直角に交わり、内装体２０と外装シート１２Ｆ，１２Ｂとの接着部分に大きな力が集中するため、Ｌ１−Ｌ２およびＬ３−Ｌ４の数値は、好ましくは５ｍｍ以上、より好ましくは１０ｍｍ以上である。一方、下側に延出部１４を備える場合は、Ｌ１−Ｌ２およびＬ３−Ｌ４は、上記の通り０ｍｍ以上でも十分である。
また、上記数値範囲にあると、股間部においてはバリヤーカフス６０，６１の取付部分６５近傍に吸収コア５６が存在しないため、バリヤーカフス６０，６１の動きの自由度が増し、バリヤーカフス６０，６１が幅方向外側に開き易く、肌に対して面で当たりやすくなり、脚の動きに対するフィット面の追従性も向上する。前後両側においては内装体２０側部の吸収コア５６が十分な範囲に存在するため、これを基点（支点）としてバリヤーカフス６０，６１の起立が安定する。前後両側から股間部に至る部分は、バリヤーカフス６０，６１が内装体２０の幅方向両側縁を基準として幅方向内側に起立した姿勢から幅方向外側に開いていく変位部であり、このバリヤーカフス６０，６１の姿勢変化が内装体２０側部まで存在する吸収コア５６により支えられ、バリヤーカフス６０，６１の全体的な形状が安定する。上記数値範囲を外れ、括れ部が大きくなりすぎると、股間部においてはバリヤーカフス６０，６１の自由度が高くなりすぎ、かえって脚周りに隙間ができ易くなるおそれがあり、また股間部の前後両側においても基点（支点）が無いためにバリヤーカフス６０，６１の起立が不安定になるおそれがある。逆に括れ部が小さくなりすぎると、バリヤーカフス６０，６１の自由度が低下するので好ましくない。
【００４０】
また、吸収コア５６は、特に下記の式（６）及び（７）を満足するように構成されていると好ましい。
９０ｍｍ  ≦  Ｌ１  ＜  Ｌ３  ≦  １８０ｍｍ  …（６）
４０ｍｍ  ≦  Ｌ２  ＜  Ｌ４  ≦１８０ｍｍ  …（７）
さらに、括れ部５６Ｎ全体の前後方向長さＬ７は好ましくは８０ｍｍ以上、特に好ましくは１２０〜２６０ｍｍとされる。括れ部５６Ｎの前後方向長さＬ７が短過ぎると脚周りに対するフィット性が低下し、吸収コア５６が脚の動きを妨げるようになり、長すぎると吸収コア５６の剛性を確保し難くなる。
【００４１】
他方、腹側外装シート１２Ｆ及び背側外装シート１２Ｂの下縁近傍における内装体２０両側部の剛性が向上するためには、図１０に示すように、外側及び内側バリヤーカフス６０，６１の突出部分６９，６６における前側の固定部６７の前後方向長さＬ５、及び後側の固定部の前後方向長さＬ６を、下記の式（４）及び（５）を満足するように長く確保するのが好ましい。
Ｌ２  ＜  Ｌ５  …（４）
Ｌ４  ＜  Ｌ６  …（５）
【００４２】
このように構成されていると、バリヤーカフス６０，６１の起立のために前側部分及び後側部分に必要とされる接着等による固定６７を利用して、内装体２０の両側部の剛性を高めることができ、力の集中し易い、腹側外装シート１２Ｆ及び背側外装シート１２Ｂの下縁近傍における内装体２０両側部の剛性が向上する。よって、吸収コア５６の変形がより一層防止されるようになる。この関係は、外側及び内側バリヤーカフス６０，６１のいずれにおいても満たしているのが好ましいが、どちらか一方でもよい。また、下記の式（４´）及び（５´）を満足するように構成されていると、より好ましい。
５ｍｍ  ＜  Ｌ５  ＜  ２１０ｍｍ  …（４´）
５ｍｍ  ＜  Ｌ６  ＜  ２１０ｍｍ  …（５´）
【００４３】
さらに、前後固定部６７は括れ部５６Ｎまで延在し、括れ部５６Ｎと０〜１０ｍｍ重複していると、腹側外装シート１２Ｆ及び背側外装シート１２Ｂの下縁近傍における内装体２０両側部の剛性が向上する上で好ましいが、バリヤーカフス６０，６１の安定した起立を優先する場合は、前後固定部６７は括れ部５６Ｎまで延在しないほうが好ましい。
また、本発明の効果をより一層のものとするために、吸収コア前端部５６Ｆ及び吸収コア後端部５６Ｂの各々における幅方向両側部の繊維密度を、幅方向中間部の繊維密度よりも高くするのが好ましい。具体的には、吸収コア５６の厚さを均一にし、吸収コア前端部５６Ｆ及び吸収コア後端部５６Ｂの各々における幅方向両側部の繊維集合体の坪量を高くするのが好ましく、この場合、吸収コア５６の厚さは１〜１５ｍｍとし、幅方向両側縁から中央側に５〜３０ｍｍの範囲５６ｘにおける坪量を３５０〜７００ｇ／ｍ2とし、これら両側部間の中間部５６ｍの坪量を３００〜６００ｇ／ｍ2とし、幅方向両側部の坪量を幅方向中間部に対して１．２〜２．０倍とするのが好ましい。またこの場合、吸収コア５６における高吸収性ポリマーの配合比は４０〜７０％程度とする。
なお、本形態の吸収コア５６は括れ部５６Ｎを有するため、吸収コア５６の幅方向両側部における上記範囲全体を高坪量部としても内装体２０の股間部における柔軟性には影響を及ぼさない。もちろん、高坪量部が吸収コア５６の幅方向両側部において、特に吸収コア５６の幅方向両側縁と外装シート１２Ｆ，１２Ｂの下端縁との交点近傍において間欠的に形成されていても良い。この場合、高坪量部は前後方向に１０〜８０ｍｍ程度、特に２０〜５０ｍｍ程度の範囲にわたって形成するのが好ましい。
【００４４】
（高吸収性ポリマー粒子）
高吸収性ポリマー粒子とは、「粒子」以外に「粉体」も含む。高吸収性ポリマー粒子の粒径は、この種の吸収性物品に使用されるものをそのまま使用でき、１０００μｍ以下、特に１５０〜４００μｍのものが望ましい。高吸収性ポリマー粒子の材料としては、特に限定無く用いることができるが、吸水量が４０ｇ／ｇ以上のものが好適である。高吸収性ポリマー粒子としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。高吸収性ポリマー粒子の形状としては、通常用いられる粉粒体状のものが好適であるが、他の形状のものも用いることができる。
高吸収性ポリマーとしては、抗菌物質と一体化したものを用いることができる。特に、ゼオライト中のイオン交換可能なイオンの一部または全部を銀イオンで置換してなるゼオライト粒子（以下、これを抗菌消臭性ゼオライトという）を高吸収性ポリマー中に含有させるか、あるいは抗菌消臭性ゼオライト粒子を高吸収性ポリマー粒子の表面に静電気により付着させてなる、抗菌消臭性高吸収性ポリマー粒子が好適である。
高吸収性ポリマー粒子としては、吸水速度が４０秒以下のものが好適に用いられる。吸水速度が４０秒を超えると、吸収コア５６内に供給された液が吸収コア５６外に戻り出てしまう所謂逆戻りを発生し易くなる。
また、高吸収性ポリマー粒子としては、ゲル強度が１０００Ｐａ以上のものが好適に用いられる。これにより、嵩高な吸収コア５６とした場合であっても、液吸収後のべとつき感を効果的に抑制できる。
高吸収性ポリマー粒子の目付け量は、当該吸収コア５６の用途で要求される吸収量に応じて適宜定めることができる。したがって一概には言えないが、５０〜３５０ｇ／ｍ2とすることができる。ポリマーの目付け量が５０ｇ／ｍ2未満では、吸収量を確保し難くなる。３５０ｇ／ｍ2を超えると、効果が飽和する。
必要であれば、高吸収性ポリマー粒子は、吸収コア５６の平面方向で散布密度あるいは散布量を調整できる。たとえば、液の排泄部位を他の部位より散布量を多くすることができる。男女差を考慮する場合、男用は前側の散布密度（量）を高め、女用は中央部の散布密度（量）を高めることができる。また、吸収コア５６の平面方向において局所的（例えばスポット状）にポリマーが存在しない部分を設けることもできる。
【００４５】
（包被シート）
包被シート５８を用いる場合、その素材としては、ティッシュペーパ、特にクレープ紙、不織布、ポリラミ不織布、小孔が開いたシート等を用いることができる。ただし、高吸収性ポリマー粒子が抜け出ないシートであるのが望ましい。クレープ紙に換えて不織布を使用する場合、親水性のＳＭＭＳ（スパンボンド／メルトブローン／メルトブローン／スパンボンド）不織布が特に好適であり、その材質はポリプロピレン、ポリエチレン／ポリプロピレンなどを使用できる。目付けは、５〜４０ｇ／ｍ2、特に１０〜３０ｇ／ｍ2のものが望ましい。
この包被シート５８は、図２のように、吸収コア５６全体を包む形態のほか、その層の裏面及び側面のみを包被するものでもよい。また図示しないが、吸収コア５６の上面及び側面のみをクレープ紙や不織布で覆い、下面をポリエチレンなどの液不透過性シートで覆う形態、吸収コア５６の上面をクレープ紙や不織布で覆い、側面及び下面をポリエチレンなどの液不透過性シートで覆う形態などでもよい（これらの各素材が包被シートの構成要素となる）。必要ならば、吸収コア５６を、上下２層のシートで挟む形態や下面のみに配置する形態でもよいが、高吸収性ポリマー粒子の移動を防止でき難いので望ましい形態ではない。
【００４６】
（股間部外装シート）
内装体２０の裏面側には、製品外面に露出する股間部外装シート１２Ｍが設けられている。この股間部外装シート１２Ｍの素材としては、腹側外装シート１２Ｆ及び背側外装シート１２Ｂと同様のものを用いることができるが、より高強度の素材や消臭剤を含有するもの等、腹側外装シート１２Ｆ及び背側外装シート１２Ｂとは異なる素材を用いることもできる。具体的には、ＰＰ、ＰＰ／ＰＥ、ＰＰ／ＰＥＴ等の繊維からなる、スパンボンド不織布、メルトブロー不織布、ポイントボンド不織布、エアスルー不織布、エアーポイント不織布、スパンレース不織布、ＳＭＳ不織布等の各種不織布、あるいはこれに消臭剤等を添加したもの等を用いることができる。
股間部外装シート１２Ｍには座位時に高い体圧がかかる。よって、摩擦堅牢度の高い（毛羽立たない）特性を有する素材が好ましく、特に以下の摩擦堅牢度試験で「◎」または「○」の評価が得られるものを用いるのが好ましい。
具体的には、繊維の太さは１．１〜５．５ｄｔｅｘが好ましく、熱エンボスにより繊維が接着するスパンボンドやＳＭＳ、ポイントボンド、熱風により繊維が接着するエアスルー不織布などを用いれば、繊維同士の接着が強固であるため、通常は「◎」または「○」の評価が得られる。一方、構成繊維が細いメルトブロー不織布や繊維同士が接着しないスパンレース不織布には、「△」または「×」の評価になるものが多い。不織布の毛羽立ちを抑えるためには、不織布の製造工程において平滑なプレスロールにより表面を押えたり、熱エンボスの温度や圧力を上げたり、熱風の温度を上げたりすればよい。
（摩擦堅牢度試験）
摩擦堅牢度は、ＪＩＳ Ｌ ０８４９に準拠し、次の方法で測定する。すなわち、２５０ｍｍ×２５ｍｍの摩擦堅牢度測定用シート片を作成し、測定用シート片の外面側（内装体の外面側）の摩擦堅牢度を測定する。摩擦堅牢度の測定には、例えばＣＯＬＯＲ ＦＡＳＴＮＥＳＳ ＲＵＢＢＩＮＧ ＴＥＳＴＥＲ（テスター産業株式会社製、型式；ＡＢ−３０１）を使用することができる。測定は、摩擦試験機ＩＩ型を使用し、５０回の振動を加えて行う。試験の結果得られる測定用シート片を目視にて限度見本と比較し、{◎：よれ玉および毛羽立ち無し○：よれ玉無し、毛羽立ちあり△：よれ玉あり、毛羽立ちあり×：不織布が破断}の４段階で評価する。
股間部外装シート１２Ｍは、印刷や着色を行い、デザイン要素を備えたシートとしてもよい。前述のデザインシートと併用する場合は、それぞれのデザインが重ならないように配置することが好ましい。
股間部外装シート１２Ｍとして伸縮不織布を用い、内装体２０の長手方向に伸長して貼り付けると、股間部のフィット性が向上するため好ましい。
股間部外装シート１２Ｍが幅方向側部から身体側面まで回り込み、バリヤーシート６２の外面にホットメルト接着剤等により接着固定されていると、内装体２０の両側部の剛性が向上する。このような形態においては、股間部外装シート１２Ｍに剛度（コシ度）の高いシートを用いることが好ましい。具体的には、クラーク法（ＪＩＳＬ１０９６ Ｃ法）によって測定される剛軟度の、シートのＭＤ方向とＣＤ方向との和が１００ｍｍ以上、好ましくは１５０ｍｍ以上のシートを用いるとよい。
図示例では、腹側及び背側外装シート１２Ｆ，１２Ｂと内装体２０とが重なる部分において、股間部外装シート１２Ｍは内装体２０と腹側及び背側外装シート１２Ｆ，１２Ｂとの間に挟まれているが、腹側及び背側外装シート１２Ｆ，１２Ｂの外側に貼り付けることも可能である。股間部外装シート１２Ｍは、ホットメルト接着剤等により内装体２０の裏面、並びに腹側及び背側外装シート１２Ｆ，１２Ｂの内面若しくは外面に貼り付けられる。
【産業上の利用可能性】
【００４７】
本発明は、予めパンツ型に形成されてなるパンツ型使い捨ておむつに適用できるものである。
【図面の簡単な説明】
【００４８】
【図１】使い捨ておむつの内面を示す、おむつを展開した状態における平面図である。
【図２】使い捨ておむつの外面を示す、おむつを展開した状態における平面図である。
【図３】図１の３−３断面図である。
【図４】図１の４−４断面図である。
【図５】図１の５−５断面図である。
【図６】使い捨ておむつの要部のみを寸法とともに示す、おむつを展開した状態における平面図である。
【図７】使い捨ておむつの要部のみを寸法とともに示す、断面図である。
【図８】製品状態の正面図である。
【図９】製品状態の背面図である。
【図１０】他の使い捨ておむつの要部のみを寸法とともに示す、おむつを展開した状態における平面図である。
【図１１】従来例の写真である。
【符号の説明】
【００４９】
１０…内装体、１２…外装シート、１２Ｆ…腹側外装シート、１２Ｂ…背側外装シート、１３…背側本体部、１４…背側延出部、１５…第１の細長状弾性伸縮部材、１６…第２の細長状弾性伸縮部材、２０…内装体、５６…吸収コア、５６Ｆ…吸収コア前端部、５６Ｂ…吸収コア後端部、５６Ｎ…括れ部。
【図１】
2008272426.tif 000003
【図２】
2008272426.tif 000004
【図３】
2008272426.tif 000005
【図４】
2008272426.tif 000006
【図５】
2008272426.tif 000007
【図６】
2008272426.tif 000008
【図７】
2008272426.tif 000009
【図８】
2008272426.tif 000010
【図９】
2008272426.tif 000011
【図１０】
2008272426.tif 000012
【図１１】
2008272426.tif 000013